(57)【特許請求の範囲】
【請求項１】
ターゲットネットワーク（１００ｂ）内でベアラを割り当てるための、ターゲットモビリティマネジメントエンティティ（ＭＭＥ）（１０５ｂ）における方法であって、当該ターゲットＭＭＥ（１０５ｂ）は、前記ターゲットネットワーク（１００ｂ）内に含まれ、当該ターゲットネットワーク（１００ｂ）は、第１の数の既存ベアラを含み、上記方法は、
ソースネットワーク（１００ａ）から前記ターゲットネットワーク（１００ｂ）へのハンドオーバについての、前記ターゲットネットワーク（１００ｂ）内の必要ベアラの第２の数をソースネットワークノード（１０７ａ）から受信すること（３０１、５０３、６０３）と、
前記ターゲットネットワーク（１００ｂ）内で必要ベアラの前記第２の数が既存ベアラの前記第１の数よりも大きい場合、前記ターゲットネットワーク（１００ｂ）内の前記第１の数の既存ベアラの割り当てについての要求及び第３の数の追加ベアラの割り当てについての要求を含む割り当て要求メッセージをターゲット基地局（１０３ｂ）へ送信すること（３０２、４０５、５０５、６０５）と、
を含む、方法。
【請求項２】
ソースネットワーク（１００ａ）から前記ターゲットネットワーク（１００ｂ）へのハンドオーバについての要求を含むハンドオーバ要求メッセージをソースネットワークノード（１０７ａ）から受信すること（３０２、４０２、５０３、６０１）、
をさらに含む、請求項１に記載の方法。
【請求項３】
前記第１の数の既存ベアラの前記割り当て及び前記第３の数の追加ベアラの割り当てに関する情報を含む割り当て応答メッセージを前記ターゲット基地局（１０３ｂ）から受信すること（３０４、４０５、５０５ｂ、６０６）と、
前記第１の数の既存ベアラ及び前記第３の数の追加ベアラの前記割り当てに関する情報を含むハンドオーバ応答メッセージをソースネットワークノード（１０７ａ）へ送信すること（４０５、５０７、６０７）と、
をさらに含む、請求項２に記載の方法。
【請求項４】
必要ベアラの前記第２の数を既存ベアラの前記第１の数と比較すること（６０４）、
をさらに含む、請求項１〜３のいずれか１項に記載の方法。
【請求項５】
前記ターゲットネットワーク（１００ｂ）内で必要ベアラの前記第２の数が既存ベアラの前記第１の数よりも大きい場合、及び前記ターゲットネットワーク（１００ｂ）内で必要ベアラの前記第２の数が利用可能なベアラの第４の数よりも小さい場合、前記割り当て要求メッセージが前記ターゲット基地局（１０３ｂ）へ送信される、請求項１〜４のいずれか１項に記載の方法。
【請求項６】
前記ターゲットネットワーク（１００ｂ）内で必要ベアラの前記第２の数が利用可能なベアラの第４の数よりも大きい場合、ソースネットワーク（１００ａ）から前記ターゲットネットワーク（１００ｂ）へのハンドオーバを中断すること（６０８）、
をさらに含む、請求項１〜５のいずれか１項に記載の方法。
【請求項７】
前記ハンドオーバの前記中断に関する情報を前記ソースネットワークノード（１０７ａ）へ送信すること（６０９）、
をさらに含む、請求項６に記載の方法。
【請求項８】
前記ターゲットネットワーク（１００ｂ）内の第３の数の追加ベアラの割り当てについての前記要求は、前記ターゲットネットワーク（１００ｂ）内の前記第３の数の追加ベアラの事前割り当てについての要求である、請求項１〜７のいずれか１項に記載の方法。
【請求項９】
前記ソースネットワーク（１００ａ）は、回路交換（ＣＳ）ネットワークであり、及び前記ターゲットネットワーク（１００ｂ）は、パケット交換（ＰＳ）ネットワークであり、又は、前記ソースネットワーク（１００ａ）は、ＰＳネットワークであり、及び前記ターゲットネットワーク（１００ｂ）は、ＣＳネットワークである、請求項６〜８のいずれか１項に記載の方法。
【請求項１０】
前記ソースネットワークノード（１０７ａ）は、モバイル交換センタ（ＭＳＣ）、又はソースサービング汎用パケット無線サービスサポートノード（ＳＧＳＮ）である、請求項１〜９のいずれか１項に記載の方法。
【請求項１１】
前記ハンドオーバは、ＳＲＮＳ（Serving  Radio  Network  Subsystem）リロケーション、又はｒＳＲＶＣＣ（Reverse  Single  Radio  Voice  Call  Continuity）ハンドオーバ、又はＩＲＡＴ  ＨＯ（Inter  Radio  Access  Technology  HandOver）である、請求項１〜１０のいずれか１項に記載の方法。
【請求項１２】
前記ソースネットワーク（１００ａ）から前記ターゲットネットワーク（１００ｂ）へハンドオーバされるべき通信サービスは、音声サービス及びビデオサービスのうちの少なくとも１つを含む、請求項１〜１１のいずれか１項に記載の方法。
【請求項１３】
ターゲットネットワーク（１００ｂ）内でベアラを割り当てるための、ターゲット基地局（１０３ｂ）における方法であって、当該ターゲット基地局（１０３ｂ）は、前記ターゲットネットワーク（１００ｂ）内に含まれ、当該ターゲットネットワーク（１００ｂ）は、第１の数の既存ベアラを含み、前記方法は、
ソースネットワーク（１００ａ）から前記ターゲットネットワーク（１００ｂ）へのハンドオーバについての前記ターゲットネットワーク（１００ｂ）内の必要ベアラの第２の数が既存ベアラの前記第１の数よりも大きい場合、前記ターゲットネットワーク（１００ｂ）内の前記第１の数の既存ベアラの割り当てについての要求及び第３の数の追加ベアラの割り当てについての要求を含む割り当て要求メッセージをターゲットモビリティマネジメントエンティティ（ＭＭＥ）（１０５ｂ）から受信すること（３０２、４０５、５０５、８０１）と、
前記第１の数の既存ベアラを割り当てること（３０３、８０２）と、
前記第３の数の追加ベアラを割り当てること（３０３、８０３）と、
を含み、
前記ターゲットネットワーク（１００ｂ）内の必要ベアラの前記第２の数は、ソースネットワークノード（１０７ａ）から受信される、
方法。
【請求項１４】
前記第１の数の既存ベアラ及び前記第３の数の追加ベアラの前記割り当てに関する情報を含む割り当て応答メッセージを前記ターゲットＭＭＥ（１０５ｂ）へ送信すること（３０４、４０５、５０５ｂ、８０４）、
をさらに含む、請求項１３に記載の方法。
【請求項１５】
前記第３の数の追加ベアラを前記割り当てること（８０３）は、
ユーザ機器非固有のプール又はユーザ機器固有のプールにおいて前記第３の数の追加ベアラを割り当てること（８０３ａ）、
をさらに含む、請求項１３〜１４のいずれか１項に記載の方法。
【請求項１６】
前記第３の数の追加ベアラの前記割り当ては、前記ターゲットネットワーク（１００ｂ）内の前記第３の数の追加ベアラの事前割り当てである、請求項１３〜１５のいずれか１項に記載の方法。
【請求項１７】
前記ソースネットワーク（１００ａ）は、回路交換（ＣＳ）ネットワークであり、及び前記ターゲットネットワーク（１００ｂ）は、パケット交換（ＰＳ）ネットワークであり、又は、前記ソースネットワーク（１００ａ）は、ＰＳネットワークであり、及び前記ターゲットネットワーク（１００ｂ）は、ＣＳネットワークである、請求項１３〜１６のいずれか１項に記載の方法。
【請求項１８】
前記ハンドオーバは、ＳＲＮＳ（Serving  Radio  Network  Subsystem）リロケーション、又はｒＳＲＶＣＣ（Reverse  Single  Radio  Voice  Call  Continuity）ハンドオーバ、又はＩＲＡＴ  ＨＯ（Inter  Radio  Access  Technology  HandOver）である、請求項１３〜１７のいずれか１項に記載の方法。
【請求項１９】
前記ソースネットワーク（１００ａ）から前記ターゲットネットワーク（１００ｂ）へハンドオーバされるべき通信サービスは、音声サービス及びビデオサービスのうちの少なくとも１つを含む、請求項１３〜１８のいずれか１項に記載の方法。
【請求項２０】
ターゲットネットワーク（１００ｂ）内でベアラを割り当てるための、ソースネットワークノード（１０７ａ）における方法であって、当該ソースネットワークノード（１０７ａ）は、ソースネットワーク（１００ａ）内に含まれ、当該ターゲットネットワーク（１００ｂ）は、第１の数の既存ベアラを含み、前記方法は、
前記ソースネットワーク（１００ａ）から前記ターゲットネットワーク（１００ｂ）へのハンドオーバについての、前記ターゲットネットワーク（１００ｂ）内の必要ベアラの第２の数を判定すること（３０１、１００１）と、
前記ターゲットネットワーク（１００ｂ）内の必要ベアラの前記第２の数を前記ターゲットネットワーク（１００ｂ）のターゲットモビリティマネジメントエンティティ（ＭＭＥ）（１０５ｂ）へ送信することと、
を含む、方法。
【請求項２１】
前記ソースネットワーク（１００ａ）から前記ターゲットネットワーク（１００ｂ）へのハンドオーバについての要求を含むハンドオーバ要求メッセージをターゲットモビリティマネジメントエンティティ（ＭＭＥ）（１０５ｂ）へ送信すること（４０２、５０３、１００２）、
をさらに含む、請求項２０に記載の方法。
【請求項２２】
前記第１の数の既存ベアラ及び第３の数の追加ベアラの割り当てに関する情報を含むハンドオーバ応答メッセージを受信すること（４０６、５０７、１００３）、
をさらに含む、請求項２０〜２１のいずれか１項に記載の方法。
【請求項２３】
前記第３の数の追加ベアラの前記割り当ては、前記ターゲットネットワーク（１００ｂ）内の前記第３の数の追加ベアラの事前割り当てである、請求項２２に記載の方法。
【請求項２４】
前記ソースネットワーク（１００ａ）は、回路交換（ＣＳ）ネットワークであり、及び前記ターゲットネットワーク（１００ｂ）は、パケット交換（ＰＳ）ネットワークであり、又は、前記ソースネットワーク（１００ａ）は、ＰＳネットワークであり、及び前記ターゲットネットワーク（１００ｂ）は、ＣＳネットワークである、請求項２０〜２３のいずれか１項に記載の方法。
【請求項２５】
前記ハンドオーバは、ＳＲＮＳ（Serving  Radio  Network  Subsystem）リロケーション、又はｒＳＲＶＣＣ（Reverse  Single  Radio  Voice  Call  Continuity）ハンドオーバ、又はＩＲＡＴ  ＨＯ（Inter  Radio  Access  Technology  HandOver）である、請求項２０〜２４のいずれか１項に記載の方法。
【請求項２６】
前記ソースネットワーク（１００ａ）から前記ターゲットネットワーク（１００ｂ）へハンドオーバされるべき通信サービスは、音声サービス及びビデオサービスのうちの少なくとも１つを含む、請求項２０〜２５のいずれか１項に記載の方法。
【請求項２７】
前記ソースネットワークノード（１０７ａ）は、モバイル交換センタ（ＭＳＣ）、又はソースサービング汎用パケット無線サービスサポートノード（ＳＧＳＮ）である、請求項２０〜２６のいずれか１項に記載の方法。
【請求項２８】
ターゲットネットワーク（１００ｂ）内でベアラを割り当てるためのターゲットモビリティマネジメントエンティティ（ＭＭＥ）（１０５ｂ）であって、当該ターゲットＭＭＥ（１０５ｂ）は、前記ターゲットネットワーク（１００ｂ）内に含まれ、当該ターゲットネットワーク（１００ｂ）は、第１の数の既存ベアラを含み、前記ターゲットＭＭＥ（１０５ｂ）は、
ソースネットワーク（１００ａ）から前記ターゲットネットワーク（１００ｂ）へのハンドオーバについての、前記ターゲットネットワーク（１００ｂ）内の必要ベアラの第２の数をソースネットワークノード（１０７ａ）から受信するように構成される受信器（７０５）と、
前記ターゲットネットワーク（１００ｂ）内で必要ベアラの前記第２の数が既存ベアラの前記第１の数よりも大きい場合、前記ターゲットネットワーク（１００ｂ）内の前記第１の数の既存ベアラの割り当てについての要求及び第３の数の追加ベアラの割り当てについての要求を含む割り当て要求メッセージをターゲット基地局（１０３ｂ）へ送信するように構成される送信器（７０１）と、
を備える、ターゲットＭＭＥ（１０５ｂ）。
【請求項２９】
前記受信器は、ソースネットワーク（１００ａ）から前記ターゲットネットワーク（１００ｂ）へのハンドオーバについての要求を含むハンドオーバ要求メッセージをソースネットワークノード（１０７ａ）から受信するように構成される、請求項２８に記載のターゲットＭＭＥ（１０５ｂ）。
【請求項３０】
前記受信器（７０５）は、前記第１の数の既存ベアラの前記割り当て及び前記第３の数の追加ベアラの割り当てに関する情報を含む割り当て応答メッセージを前記ターゲット基地局（１０３ｂ）から受信するようにさらに構成され、
前記送信器（７０１）は、前記第１の数の既存ベアラ及び前記第３の数の追加ベアラの前記割り当てに関する情報を含むハンドオーバ応答メッセージをソースネットワークノード（１０７ａ）へ送信するようにさらに構成される、
請求項２９に記載のターゲットＭＭＥ（１０５ｂ）。
【請求項３１】
必要ベアラの前記第２の数を既存ベアラの前記第１の数と比較するように構成されるプロセッサ（７０３）、
をさらに備える、請求項２８〜３０のいずれか１項に記載のターゲットＭＭＥ（１０５ｂ）。
【請求項３２】
前記ターゲットネットワーク（１００ｂ）内で必要ベアラの前記第２の数が既存ベアラの前記第１の数よりも大きい場合、及び前記ターゲットネットワーク（１００ｂ）内で必要ベアラの前記第２の数が利用可能なベアラの第４の数よりも小さい場合、前記割り当て要求メッセージは、前記ターゲット基地局（１０３ｂ）へ送信される、請求項２８〜３１のいずれか１項に記載のターゲットＭＭＥ（１０５ｂ）。
【請求項３３】
前記ターゲットネットワーク（１００ｂ）内で必要とされる前記第２の数が利用可能なベアラの第４の数よりも大きい場合、ソースネットワーク（１００ａ）から前記ターゲットネットワーク（１００ｂ）へのハンドオーバを中断する（６０８）ように構成されるプロセッサ（７０３）、
をさらに備える、請求項２８〜３２のいずれか１項に記載のターゲットＭＭＥ（１０５ｂ）。
【請求項３４】
前記ハンドオーバの前記中断に関する情報を前記ソースネットワークノード（１０７ａ）へ送信するように構成される送信器（７０１）、
をさらに備える、請求項３３に記載のターゲットＭＭＥ（１０５ｂ）。
【請求項３５】
前記ターゲットネットワーク（１００ｂ）内の第３の数の追加ベアラの割り当てについての前記要求は、前記ターゲットネットワーク（１００ｂ）内の前記第３の数の追加ベアラの事前割り当てについての要求である、請求項２８〜３４のいずれか１項に記載のターゲットＭＭＥ（１０５ｂ）。
【請求項３６】
前記ソースネットワーク（１００ａ）は、回路交換（ＣＳ）ネットワークであり、及び前記ターゲットネットワーク（１００ｂ）は、パケット交換（ＰＳ）ネットワークであり、又は、前記ソースネットワーク（１００ａ）は、ＰＳネットワークであり、及び前記ターゲットネットワーク（１００ｂ）は、ＣＳネットワークである、請求項３３〜３５のいずれか１項に記載のターゲットＭＭＥ（１０５ｂ）。
【請求項３７】
前記ソースネットワークノード（１０７ａ）は、モバイル交換センタ（ＭＳＣ）、又はソースサービング汎用パケット無線サービスサポートノード（ＳＧＳＮ）である、請求項２８〜３６のいずれか１項に記載のターゲットＭＭＥ（１０５ｂ）。
【請求項３８】
前記ハンドオーバは、ＳＲＮＳ（Serving  Radio  Network  Subsystem）リロケーション、又はｒＳＲＶＣＣ（Reverse  Single  Radio  Voice  Call  Continuity）ハンドオーバ、又はＩＲＡＴ  ＨＯ（Inter  Radio  Access  Technology  HandOver）である、請求項２８〜３７のいずれか１項に記載のターゲットＭＭＥ（１０５ｂ）。
【請求項３９】
前記ソースネットワーク（１００ａ）から前記ターゲットネットワーク（１００ｂ）へハンドオーバされるべき通信サービスは、音声サービス及びビデオサービスのうちの少なくとも１つを含む、請求項２８〜３８のいずれか１項に記載のターゲットＭＭＥ（１０５ｂ）。
【請求項４０】
ターゲットネットワーク（１００ｂ）内でベアラを割り当てるためのターゲット基地局（１０３ｂ）であって、当該ターゲット基地局（１０３ｂ）は、前記ターゲットネットワーク（１００ｂ）内に含まれ、当該ターゲットネットワーク（１００ｂ）は、第１の数の既存ベアラを含み、前記ターゲット基地局（１０３ｂ）は、
ソースネットワーク（１００ａ）から前記ターゲットネットワーク（１００ｂ）へのハンドオーバについての前記ターゲットネットワーク（１００ｂ）内の必要ベアラの第２の数が既存ベアラの前記第１の数よりも大きい場合、前記ターゲットネットワーク（１００ｂ）内の前記第１の数の既存ベアラの割り当てについての要求及び第３の数の追加ベアラの割り当てについての要求を含む割り当て要求メッセージをターゲットモビリティマネジメントエンティティ（ＭＭＥ）（１０５ｂ）から受信するように構成される受信器（９０１）と、
前記第１の数の既存ベアラを割り当て、及び、
前記第３の数の追加ベアラを割り当てる、
ように構成されるプロセッサ（９０３）と、
を備え、
前記ターゲットネットワーク（１００ｂ）内の必要ベアラの前記第２の数は、ソースネットワークノード（１０７ａ）から受信される、
ターゲット基地局（１０３ｂ）。
【請求項４１】
前記第１の数の既存ベアラ及び前記第３の数の追加ベアラの前記割り当てに関する情報を含む割り当て応答メッセージを前記ターゲットＭＭＥ（１０５ｂ）へ送信するように構成される送信器（９０５）、
をさらに備える、請求項４０に記載のターゲット基地局（１０３ｂ）。
【請求項４２】
前記プロセッサ（９０３）は、ユーザ機器非固有のプール又はユーザ機器固有のプールにおいて前記第３の数の追加ベアラを割り当てるようにさらに構成される、請求項４０〜４１のいずれか１項に記載のターゲット基地局（１０３ｂ）。
【請求項４３】
前記第３の数の追加ベアラの前記割り当ては、前記ターゲットネットワーク（１００ｂ）内の前記第３の数の追加ベアラの事前割り当てである、請求項４０〜４２のいずれか１項に記載のターゲット基地局（１０３ｂ）。
【請求項４４】
前記ソースネットワーク（１００ａ）は、回路交換（ＣＳ）ネットワークであり、及び前記ターゲットネットワーク（１００ｂ）は、パケット交換（ＰＳ）ネットワークであり、又は、前記ソースネットワーク（１００ａ）は、ＰＳネットワークであり、及び前記ターゲットネットワーク（１００ｂ）は、ＣＳネットワークである、請求項４０〜４３のいずれか１項に記載のターゲット基地局（１０３ｂ）。
【請求項４５】
前記ハンドオーバは、ＳＲＮＳ（Serving  Radio  Network  Subsystem）リロケーション、又はｒＳＲＶＣＣ（Reverse  Single  Radio  Voice  Call  Continuity）ハンドオーバ、又はＩＲＡＴ  ＨＯ（Inter  Radio  Access  Technology  HandOver）である、請求項４０〜４４のいずれか１項に記載のターゲット基地局（１０３ｂ）。
【請求項４６】
前記ソースネットワーク（１００ａ）から前記ターゲットネットワーク（１００ｂ）へハンドオーバされるべき通信サービスは、音声サービス及びビデオサービスのうちの少なくとも１つを含む、請求項４０〜４５のいずれか１項に記載のターゲット基地局（１０３ｂ）。
【請求項４７】
ターゲットネットワーク（１００ｂ）内でベアラを割り当てるためのソースネットワークノード（１０７ａ）であって、当該ソースネットワークノード（１０７ａ）は、ソースネットワーク（１００ａ）内に含まれ、前記ターゲットネットワーク（１００ｂ）は、第１の数の既存ベアラを含み、前記ソースネットワークノード（１０７ａ）は、
前記ソースネットワーク（１００ａ）から前記ターゲットネットワーク（１００ｂ）へのハンドオーバについての、前記ターゲットネットワーク（１００ｂ）内の必要ベアラの第２の数を判定するように構成されるプロセッサ（１１０１）と、
前記ターゲットネットワーク（１００ｂ）内の必要ベアラの前記第２の数を前記ターゲットネットワーク（１００ｂ）のターゲットモビリティマネジメントエンティティ（ＭＭＥ）（１０５ｂ）へ送信するように構成される送信器（１１０３）と、
を備える、ソースネットワークノード（１０７ａ）。
【請求項４８】
前記送信器（１１０３）は、前記ソースネットワーク（１００ａ）から前記ターゲットネットワーク（１００ｂ）へのハンドオーバについての要求を含むハンドオーバ要求メッセージを前記ターゲットＭＭＥ（１０５ｂ）へ送信するように構成される、請求項４７に記載のソースネットワークノード（１０７ａ）。
【請求項４９】
前記第１の数の既存ベアラ及び第３の数の追加ベアラの割り当てに関する情報を含むハンドオーバ応答メッセージを前記ターゲットＭＭＥ（１０５ｂ）から受信するように構成される受信器（１１０５）、
をさらに備える、請求項４７〜４８のいずれか１項に記載のソースネットワークノード（１０７ａ）。
【請求項５０】
前記第３の数の追加ベアラの前記割り当ては、前記ターゲットネットワーク（１００ｂ）内の前記第３の数の追加ベアラの事前割り当てである、請求項４９に記載のソースネットワークノード（１０７ａ）。
【請求項５１】
前記ソースネットワーク（１００ａ）は、回路交換（ＣＳ）ネットワークであり、及び前記ターゲットネットワーク（１００ｂ）は、パケット交換（ＰＳ）ネットワークであり、又は、前記ソースネットワーク（１００ａ）は、ＰＳネットワークであり、及び前記ターゲットネットワーク（１００ｂ）は、ＣＳネットワークである、請求項４７〜５０のいずれか１項に記載のソースネットワークノード（１０７ａ）。
【請求項５２】
前記ハンドオーバは、ＳＲＮＳ（Serving  Radio  Network  Subsystem）リロケーション、又はｒＳＲＶＣＣ（Reverse  Single  Radio  Voice  Call  Continuity）ハンドオーバ、又はＩＲＡＴ  ＨＯ（Inter  Radio  Access  Technology  HandOver）である、請求項４７〜５１のいずれか１項に記載のソースネットワークノード（１０７ａ）。
【請求項５３】
前記ソースネットワーク（１００ａ）から前記ターゲットネットワーク（１００ｂ）へハンドオーバされるべき通信サービスは、音声サービス及びビデオサービスのうちの少なくとも１つを含む、請求項４７〜５２のいずれか１項に記載のソースネットワークノード（１０７ａ）。
【請求項５４】
前記ソースネットワークノード（１０７ａ）は、モバイル交換センタ（ＭＳＣ）、又はソースサービング汎用パケット無線サービスサポートノード（ＳＧＳＮ）である、請求項４７〜５３のいずれか１項に記載のソースネットワークノード（１０７ａ）。
【発明の詳細な説明】
【技術分野】
【０００１】
本明細書における実施形態は、一般に、ターゲットモバイルマネジメントエンティティ（ＭＭＥ）及び当該ターゲットＭＭＥにおける方法、ターゲット基地局及び当該ターゲット基地局における方法、並びにソースネットワークノード及び当該ソースネットワークノードにおける方法に関する。特に、本明細書における実施形態は、ターゲットネットワーク内でベアラを割り当てることに関する。
【背景技術】
【０００２】
無線通信システム、無線通信ネットワーク、セルラネットワーク又はセルラシステムとも呼ばれる典型的な通信ネットワークにおいて、ユーザ機器（ＵＥ：user  Equipment）は、１つ以上のコアネットワーク（ＣＮ）へ無線アクセスネットワーク（ＲＡＮ：Radio  Access  Network）を介して通信する。
【０００３】
ユーザ機器は、事業者のネットワークによって提供されるサービス、並びに事業者の無線アクセスネットワーク及びコアネットワークがアクセス、例えばインターネットへのアクセス、を提供する事業者のネットワーク外のサービス、に加入者がアクセスし得る手段となるデバイスである。ユーザ機器は、モバイルであれ据え置き型であれ、通信ネットワークにおいて無線チャネル上で通信することが可能である任意のデバイス、例えば、携帯電話、スマートフォン、センサ、計器、車両、家庭用電化製品、医療機器、メディアプレーヤ、カメラ、又は任意のタイプの家電製品（例えば、テレビ受像機、ラジオ受信機、照明機器、タブレットコンピュータ、ラップトップ又はパーソナルコンピュータ（ＰＣ）。ただし、これらに限定されない）であってよいが、これらに限定されない。ユーザ機器は、別のユーザ機器又はサーバといった別のエンティティと無線アクセスネットワークを介して音声及び／又はデータを通信することが可能な携帯用の、ポケットに入れることができる、ハンドヘルドの、コンピュータ内蔵の又は車両搭載型のユーザ機器であってもよい。
【０００４】
ユーザ機器は、通信ネットワークにおいて無線で通信することが可能である。通信は、例えば、セルラネットワーク内に含まれる２つのユーザ機器間、ユーザ機器と通常の電話との間、及び／又は無線アクセスネットワーク及び場合により１つ以上のコアネットワークを介してユーザ機器とサーバとの間で為され得る。
【０００５】
セルラネットワークは、複数のセル領域に分割される地理的領域をカバーする。各セル領域は、基地局、例えば、無線基地局（ＲＢＳ：Radio  Base  Station）によってサービスを提供される。当該基地局は、用いられる技術及び専門用語に依存して、例えば、進化型ノードＢ（ｅＮＢ：evolved  Node  B）、ｅＮｏｄｅＢ、ノードＢ、Ｂノード、又は基地送受信局（ＢＴＳ：Base  Transceiver  Station）と呼ばれることもある。基地局は、当該基地局のレンジ内のユーザ機器と、無線周波数上で動作するエアインタフェース上で通信する。
【０００６】
通信ネットワークは、例えば、ロングタームエボリューション（ＬＴＥ）、ＬＴＥ  Ａｄｖａｎｃｅｄ、広帯域符号分割多元接続（ＷＣＤＭＡ：Wideband  Code  Division  Multiple  Access）、ＧＳＭ（Global  System  for  Mobile  Communications）、又は任意の他の第３世代パートナーシッププロジェクト（３ＧＰＰ：Third  Generation  Partnership  Project）の無線アクセス技術、又は無線ＬＡＮ（ＷＬＡＮ：Wireless  Local  Area  Network）などの他の無線アクセス技術といった１つ以上の無線アクセス技術に適用され得る。
【０００７】
例えばＬＴＥにおいて、ユーザ機器は、新たなネットワークがレガシーネットワークからの全てのサービスをサポートすることを期待する。こうしたニーズを満たすために、技術間モビリティ（Inter-technology  mobility）は、重要な機能である。ＬＴＥにおいて、ＬＴＥ上での音声サービスは、インターネットプロトコルマルチメディアサブシステム（ＩＭＳ）ベースのＶｏＩＰ（Voice  Over  Internet  Protocol）である。ＬＴＥは、パケットデータネットワークであり、ＶｏＩＰは、パケットネットワーク上で音声をサポートするために用いられる。
【０００８】
技術間モビリティは、新たなサービスの導入のためにも重要である。技術間モビリティは、新たなサービスを最も良く及び最も効率的にサポートする無線ブロードバンドアクセス技術が最もトラフィックが高い領域においてのみ配備されているとしても、当該新たなサービスがネットワーク全体に展開されることを可能にする。技術間モビリティは、従前のネットワークと新たなネットワークとの間にブリッジを提供し、広い領域にわたってユーザについてのシームレスなサービス継続性を可能にする。
【０００９】
技術間モビリティは、ＳＲＶＣＣ（Single  Radio  Voice  Call  Continuity）と呼ばれる機能性と共に技術間モビリティを用いることによって、ＬＴＥアクセスネットワークの配備と関連して音声サービスがＩＭＳ上のＶｏＩＰに移される新たなＬＴＥの展開を簡略化し得る。ＳＲＶＣＣは、ＬＴＥパケットドメイン内のＶｏＩＰ／ＩＭＳ呼がレガシーの回線ドメイン、例えば、ＧＳＭ／ＵＭＴＳ又はＣＤＭＡへ移されることを可能にする、ＬＴＥの機能性である。ＵＭＴＳは、Universal  Mobile  Telecommunications  Systemの略称である。
【００１０】
ＬＴＥにおける進行中のＩＭＳ音声呼を有するユーザ機器がそのＬＴＥカバレッジを失う場合、２Ｇ／３Ｇ、即ち回線交換（ＣＳ：Circuit  Switched）ネットワークがＶｏＩＰをサポートしないとすると、ユーザは、２Ｇ／３ＧへのＳＲＶＣＣを実行し及び当該音声呼をモバイル交換センタサーバ（ＭＳＣ：Mobile  Switching  Centre  Server）を通じてＣＳネットワーク内で継続する。ＭＳＣは、ネットワーク交換サブシステムエレメントを制御する３Ｇコアネットワークエレメントである。ユーザ機器がＬＴＥカバレッジ内に戻ると、事業者は、様々な理由で、当該ユーザ機器をＬＴＥへ移すことを望み得る。この手続きは、リターンＳＲＶＣＣ（ｒＳＲＶＣＣ）と呼ばれる。ｒＳＲＶＣＣの別のユースケースは、ユーザ機器が２Ｇ／３Ｇに存在し（camping）及びＣＳ音声呼を２Ｇ／３ＧにおいてＭＳＣを通じて開始することであり得る。しばらくした後、ユーザ機器がＬＴＥカバレッジ内に入ると、ｒＳＲＶＣＣがトリガされる。
【００１１】
進行中の音声呼のＬＴＥから３Ｇ又は２Ｇへのハンドオーバ、又は進行中の音声呼の２Ｇ／３ＧからＬＴＥへのハンドオーバは、専用ベアラと呼ばれるメカニズムを用いることによって為される。一般に、ベアラは、何らかの情報を搬送する論理的なチャネルであり得る。ベアラは、無線リソースとも呼ばれ得る。１つの進化型パケットシステム（ＥＰＳ：Evolved  Packet  System）ベアラは、ユーザ機器１０１がパケットデータネットワーク（ＰＤＮ）に接続する際に確立され、及び当該接続の期間中にわたり接続されたままである。これは、デフォルトベアラとも呼ばれる。デフォルトベアラは、ネットワークへの常時接続（always-on）のインターネットプロトコル（ＩＰ）接続性を提供する。任意の付加的なＥＰＳベアラは、専用ベアラと呼ばれる。専用ベアラのコンテキストは、ネットワーク内のサービスが２つのＩＰアドレス及びＴＣＰ／ＵＤＰポート間の特定のメディアストリームに属するＩＰパケットに優先順位を付けることを要求する際に確立される。専用ベアラは、特定のパケット転送処理を必要とするものとして識別されたＩＰフローについてのトラフィックを搬送するベアラである。専用ベアラは、特定のサービス品質（ＱｏＳ：Quality  of  Service）を有するデータを送信するためにユーザ機器によって要求される。ＴＣＰは、Transmission  Control  Protocolの略称であり、ＵＤＰは、User  Datagram  Protocolの略称である。
【００１２】
異なる無線技術間でハンドオーバを行う場合、ベアラリソースの需要は、ソースシステム内とターゲットシステム内とで異なり得る。１つの例は、ｒＳＲＶＣＣである。２Ｇ／３Ｇ  ＣＳシステムからＶｏＩＰベースのＬＴＥシステムへのｒＳＲＶＣＣ  ＨＯを行う場合、ユーザ機器は、ソースシステムにおいて、ある数のパケット交換（ＰＳ：Packet  Switched）ベアラ及び回線交換（ＣＳ）ベアラも割り当てられていることがあり得る。ＬＴＥへのハンドオーバ（ＨＯ）後、ＣＳベアラは、ユーザ機器に利用可能ではない。ＣＳベアラは、音声メディアを搬送するために新たなＰＳベアラに置換される必要がある。ターゲットシステム内に利用可能なリソースが無い場合、ユーザ機器が当該ターゲットシステムにハンドオーバされた時点では、新たな音声固有のＰＳベアラが割り当てられないかもしれない。この場合において、音声呼は中断されるであろう。従って、ｒＳＲＶＣＣを中断し及びユーザ機器を２Ｇ／３Ｇに留まらせた方が良いであろう。これは、ｒＳＲＶＣＣが無線カバレッジのロスではなく最適化によってトリガされ得ることに起因する。ｒＳＲＶＣＣ手続きは、ターゲットシステム内で存在しないベアラについてのリソースのチェックを可能にせず、既に割り当てられているベアラのみがチェックされ得る。
【００１３】
ｒＳＲＶＣＣについての既存の方法は、ソースシステムがデュアルトランスファーモード（ＤＴＭ）ベースであるか又は非ＤＴＭであるかに依存して、様々な手法で実行され得る。換言すれば、それは、ＰＳサービス及びＣＳサービスが並行して為され得るのか又は一度に一方のみが為され得るのかに依存する。また、この手続きは、３ＧＰＰにおいて実際にはまだ完全に仕様化されていない。ＤＴＭは、同じ無線チャネル上でＣＳ音声及びＰＳデータの同時伝送を可能にする、ＧＳＭ標準に基づくプロトコルである。
【００１４】
非ＤＴＭのケースについてのｒＳＲＶＣＣ手続きがここでは示されるが、事前割り当ても、ＤＴＭベースの手続きに適用可能である。
【００１５】
非ＤＴＭのケースにおいて、既存のｒＳＲＶＣＣ手続きは、以下のステップを含み、当該ステップは、任意の適切な順序で実行され得る：
ステップ１
ソース無線アクセスネットワークノードは、ＬＴＥへのハンドオーバが必要とされることをトリガし、及びこれに関する信号をＭＳＣへ送信する。ソース無線アクセスネットワークノードは、例えば、ｅＮＢ又は無線ネットワークコントローラ（ＲＮＣ：Radio  Network  Controller）又は基地局コントローラ（ＢＳＣ：Base  Station    Controller）であってもよい。
ステップ２
ＭＳＣは、ＣＳからＰＳへのハンドオーバ要求をターゲットＭＭＥへ送信する。
ステップ３
ターゲットＭＭＥは、既存のパケットデータプロトコル（ＰＤＰ）コンテキスト、即ちベアラをソースＳＧＳＮから要求する。
ステップ４
ＭＭＥは、ベアラを割り当てるための要求をｅＮＢへ送信する。
ステップ５
ｅＮＢは、上記要求への応答をＭＭＥへ送信する。当該要求は、ＭＭＥへの割り当ての結果に関する標識を含む。
ステップ６
ＭＭＥは、ＣＳからＰＳへの確認応答をＭＳＣへ送信する。
ステップ７
ＭＳＣは、ハンドオーバコマンドをソース無線アクセスネットワークノード、例えば、ｅＮＢ又はＲＮＣへ送信する。当該ハンドオーバコマンドは、ユーザ機器がＬＴＥへ移ることをトリガする。
ステップ８
ユーザ機器がＬＴＥ内に出現すると、音声について用いられ得る新たな保証ビットレート（ＧＢＲ：Guaranteed  Bit  Rate）ベアラが割り当てられ、及び音声呼が継続する。
【００１６】
この不都合な点は、ネットワーク利用が最適化されないこと、及びユーザ機器がサービスの中断にさらされる経験をし得ることである。
【発明の概要】
【発明が解決しようとする課題】
【００１７】
それ故に、本明細書における実施形態の目的は、上記不都合な点のうちの少なくとも１つを取り除き、及び通信ネットワークにおいて改良されたハンドオーバを提供することである。
【課題を解決するための手段】
【００１８】
第１の態様によれば、上記目的は、ターゲットネットワーク内でベアラを割り当てるための、ターゲットＭＭＥにおける方法によって達成される。ターゲットＭＭＥは、ターゲットネットワーク内に含まれ、当該ターゲットネットワークは、第１の数の既存ベアラを含む。ターゲットネットワーク内で必要ベアラの第２の数が既存ベアラの第１の数よりも大きい場合、ターゲットＭＭＥは、割り当て要求メッセージをターゲット基地局へ送信する。割り当て要求メッセージは、ターゲットネットワーク内の第１の数の既存ベアラの割り当てについての要求及び第３の数の追加ベアラの割り当てについての要求を含む。
【００１９】
第２の態様によれば、ターゲットネットワーク内でベアラを割り当てるための、ターゲット基地局における方法によって達成される。当該ターゲット基地局は、ターゲットネットワーク内に含まれ、当該ターゲットネットワークは、第１の数の既存ベアラを含む。ターゲットネットワーク内で必要ベアラの第２の数が既存ベアラの第１の数よりも大きい場合、ターゲット基地局は、割り当て要求メッセージをターゲットＭＭＥから受信する。割り当て要求メッセージは、ターゲットネットワーク内の第１の数の既存ベアラの割り当てについての要求及び第３の数の追加ベアラの割り当てについての要求を含む。ターゲット基地局は、第１の数の既存ベアラを割り当て、及び第３の数の追加ベアラを割り当てる。
【００２０】
第３の態様によれば、上記目的は、ターゲットネットワーク内でベアラを割り当てるための、ソースネットワークノードにおける方法によって達成される。ソースネットワークノードは、ソースネットワーク内に含まれ、ターゲットネットワークは、第１の数の既存ベアラを含む。ソースネットワークノードは、ソースネットワークからターゲットネットワークへのハンドオーバについての、ターゲットネットワーク内の必要ベアラの第２の数を判定する。
【００２１】
第４の態様によれば、上記目的は、ターゲットネットワーク内でベアラを割り当てるためのターゲットＭＭＥによって達成される。ターゲットＭＭＥは、ターゲットネットワーク内に含まれ、当該ターゲットネットワークは、第１の数の既存ベアラを含む。ターゲットＭＭＥは、ターゲットネットワーク内で必要ベアラの第２の数が既存ベアラの第１の数よりも大きい場合、割り当て要求メッセージをターゲット基地局へ送信するように構成される送信器を備える。当該割り当て要求メッセージは、ターゲットネットワーク内の第１の数の既存ベアラの割り当てについての要求及び第３の数の追加ベアラの割り当てについての要求を含む。
【００２２】
第５の態様によれば、上記目的は、ターゲットネットワーク内でベアラを割り当てるためのターゲット基地局によって達成される。ターゲット基地局は、ターゲットネットワーク内に含まれ、当該ターゲットネットワークは、第１の数の既存ベアラを含む。ターゲット基地局は、ターゲットネットワーク内で必要ベアラの第２の数が既存ベアラの第１の数よりも大きい場合、割り当て要求メッセージをターゲットＭＭＥから受信するように構成される受信器を備える。当該割り当て要求メッセージは、ターゲットネットワーク内の第１の数の既存ベアラの割り当てについての要求及び第３の数の追加ベアラの割り当てについての要求を含む。ターゲット基地局は、第１の数の既存ベアラを割り当て、及び第３の数の追加ベアラを割り当てるように構成されるプロセッサを備える。
【００２３】
第６の態様によれば、上記目的は、ターゲットネットワーク内でベアラを割り当てるためのソースネットワークノードによって達成される。ソースネットワークノードは、ソースネットワーク内に含まれ、ターゲットネットワークは、第１の数の既存ベアラを含む。ソースネットワークノードは、ソースネットワークからターゲットネットワークへのハンドオーバについての、ターゲットネットワーク内の必要ベアラの第２の数を判定するように構成されるプロセッサを備える。
【００２４】
本明細書における実施形態は、多くの利点を提供し、当該利点の例の限定的なリストは、以下の通りである：
【００２５】
ターゲットシステムへのハンドオーバを行うか否かの実際の選択肢が存在する場合、即ち、当該ハンドオーバは無線カバレッジのロス以外の他の理由からトリガされる場合、ベアラリソースの事前割り当てにより、ハンドオーバのトリガリングについてより良好な決定を行うことが可能である。ターゲット内に利用可能なリソースが無い場合、ユーザ機器をソースシステム内に保持する方が良い。
【００２６】
本明細書における実施形態に従った、ベアラの事前割り当てによれば、事業者がネットワーク利用を最適化し及びユーザ機器を好適な無線技術へ向けることができる一方、それと同時に、サービスの中断によってユーザ機器の経験を脅かすことを防止できることは、利点となるであろう。
【００２７】
本明細書における実施形態は、上述された特徴及び利点に限定されない。当業者は、以下の詳細な説明を読めば、さらなる特徴及び利点を認識するであろう。
【図面の簡単な説明】
【００２８】
ここで、本明細書における実施形態は、当該実施形態を例示する添付の図面を参照しつつ、以下の詳細な説明においてより詳細にさらに説明されるであろう。図面において：
【００２９】
【図１】通信ネットワークの実施形態を例示する概略ブロック図である。
【図２】通信ネットワークの実施形態を例示する概略ブロック図である。
【図３】方法の実施形態を例示する、フローチャート及びシグナリングの複合図である。
【図４】ｒＳＲＶＣＣを伴う方法の実施形態を例示する、フローチャート及びシグナリングの複合図である。
【図５】ＩＲＡＴ  ＨＯを伴う方法の実施形態を例示する、フローチャート及びシグナリングの複合図である。
【図６】ターゲットＭＭＥにおける方法の実施形態を例示するフローチャートである。
【図７】ターゲットＭＭＥの実施形態を例示する概略ブロック図である。
【図８】ターゲット基地局における方法の実施形態を例示するフローチャートである。
【図９】ターゲット基地局の実施形態を例示する概略ブロック図である。
【図１０】ソースネットワークノードにおける方法の実施形態を例示するフローチャートである。
【図１１】ソースネットワークノードの実施形態を例示する概略ブロック図である。
【００３０】
図面は、必ずしも正確な縮尺ではなく、ある特徴の大きさは、明確さのために誇張されていることがある。その代わりに、本明細書における実施形態の原理を例示することが強調されている。
【発明を実施するための形態】
【００３１】
本明細書における実施形態は、ターゲットシステムにおけるリソースの事前割り当てに関する。
【００３２】
図１は、本明細書における実施形態が実装され得る通信ネットワーク１００を表す。通信ネットワーク１００は、幾つかの実施形態において、例えば、ＬＴＥ、ＬＴＥ  Ａｄｖａｎｃｅｄ、ＷＣＤＭＡ、ＧＳＭ、又は任意の他の３ＧＰＰ無線アクセス技術、又は、例えば、無線ＬＡＮ（ＷＬＡＮ）などの他の無線アクセス技術といった１つ以上の無線アクセス技術に適用され得る。
【００３３】
通信ネットワーク１００は、ソース無線アクセスネットワーク１００ａと、ターゲット無線アクセスネットワーク１００ｂと、を含む。以下において、ソースネットワーク１００ａという用語は、ソース無線アクセスネットワーク１００ａを指すために用いられ、ターゲットネットワーク１００ｂという用語は、ターゲット無線アクセスネットワーク１００ｂを指すために用いられる。ソースネットワーク１００ａは、例えば、ＣＳネットワークであり、ターゲットネットワーク１００ｂは、ＰＳネットワークであり得る。ＣＳネットワークの例は、ＵＴＲＡＮ及びＧＥＲＡＮであり、ＰＳネットワークの例は、ＬＴＥ及びＥ−ＵＴＲＡＮである。ＣＳネットワークは、例えば、２つのネットワークノードが通信し得る前に、当該２つのノードが専用の通信チャネル、即ち回線を確立する技術である。当該回線は、電気回線と同様に、これらのノードがあたかも物理的に接続されているかのように機能する。ＰＳネットワークにおいて、データは、別個の小さなブロック、即ちパケット単位で、各パケット内の宛先アドレスに基づいて移動される。パケットは、受信されると、適当な順序で並べ替えられて、メッセージを構成する。ＣＳネットワークにおけるビット遅延は、パケットキューが可変のパケット伝送遅延を引き起こし得るＰＳネットワークとは対照的に、接続の期間中は一定である。
【００３４】
以下において、文字ａが参照番号に付される場合、当該エンティティは、ソースネットワーク１００ａ内に含まれ、文字ｂが参照番号に付される場合、当該エンティティは、ターゲットネットワーク１００ｂ内に含まれる。
【００３５】
ソースネットワーク１００ａは、ソースセルにサービスを提供するソース基地局１０３ａを含む。ソース基地局１０３ａは、ノードＢ、ｅＮＢ、又は、ソースネットワーク１００ａ内にユーザ機器１０１が存在する場合に当該ユーザ機器１０１と無線キャリア上で通信することが可能な任意の他のネットワークユニットといった基地局であり得る。ソース基地局１０３ａは、ソースＭＭＥ１０５ａに接続され、当該ソースＭＭＥ１０５ａは、ソースネットワークノード１０７ａに接続される。ソースネットワークノード１０７ａは、例えば、ソースＢＳＳ、ソースＳＧＳＮ又はソースＭＳＣサーバであり得る。
【００３６】
ターゲットネットワーク１００ｂは、ターゲットセルにサービスを提供するターゲット基地局１０３ｂを含む。ターゲット基地局１０３ｂは、ノードＢ、ｅＮＢ、又は、ターゲットネットワーク１００ｂ内にユーザ機器１０１存在する場合に当該ユーザ機器１０１と無線キャリア上で通信することが可能な任意の他のネットワークユニットといった基地局であり得る。ターゲット基地局１０３ｂは、ターゲットＭＭＥ１０５ｂに接続され、当該ターゲットＭＭＥ１０５ｂは、ターゲットネットワークノード１０７ｂに接続される。ターゲットネットワークノード１０７ｂは、例えば、ターゲットＢＳＳ、ターゲットＳＧＳＮ又はターゲットＭＳＣサーバであり得る。
【００３７】
ユーザ機器１０１は、基地局と無線チャネル上で通信することが可能な通信ケイパビリティを有する任意の適切な通信デバイス又は計算デバイス、例えば、携帯電話、スマートフォン、ＰＤＡ（personal  digital  assistant）、ラップトップ、ＭＰ３プレーヤ若しくはポータブルＤＶＤプレーヤ（若しくは同様のメディアコンテンツデバイス）、デジタルカメラ、又はＰＣなどの固定されたデバイスであってもよいが、これらに限定されない。ＰＣも、ブロードキャスト／マルチキャストメディアの終端局としてユーザ機器を介して接続され得る。ユーザ機器１０１は、例えば、電子フォトフレーム、心臓監視機器、侵入監視機器又は他の監視機器、気象データモニタリングシステム、車両、自動車又は輸送機関通信機器等に内蔵された通信デバイスであってもよい。ユーザ機器１０１は、幾つかの図において、ＵＥと呼ばれる。
【００３８】
ユーザ機器１０１は、２Ｇ／３Ｇカバレッジを有する領域内に存在し得る。即ち、ユーザ機器１０１は、ソースネットワーク１００ａ内に存在し得る。ソースネットワーク１００ａは、ＣＳネットワークであり得る。ユーザ機器１０１は、ソースネットワーク１００ａ内で進行中のＩＭＳ通信サービスを有する。ＩＭＳは、ＩＰマルチメディアサービスを配信するためのフレームワークである。ある時点で、ユーザ機器１０１は、ソースネットワーク１００ａからターゲットネットワーク１００ｂへ移動する。ターゲットネットワーク１００ｂは、ＰＳネットワークであり得る。これは、ハンドオーバと呼ばれ得る。何らかの理由により、事業者は、ユーザ機器１０１の進行中の通信サービスがソースネットワーク１００ａからターゲットネットワーク１００ｂへ移されることを望み得る。
【００３９】
図２は、通信ネットワーク１００の実施形態をより詳細に例示する。図２において、ソースネットワーク１００ａは、ＣＳネットワーク、例えば、ソースＵＴＲＡＮ／ＧＥＲＡＮによって例示され、ターゲットネットワーク１００ｂは、ＰＳネットワーク、例えば、ターゲットＥ−ＵＴＲＡＮによって例示される。ユーザ機器１０１は、ソースネットワーク１００ａからＰＳネットワーク１００ｂへハンドオーバされる。ユーザ機器１０１とソース（ＵＴＲＡＮ／ＧＥＲＡＮ）ネットワーク１００ａとの間のインタフェースは、Ｕｍ／Ｕｕインタフェースである。ソース（ＵＴＲＡＮ／ＧＥＲＡＮ）ネットワーク１００ａは、Ｉｕ−ｃｓ／Ａインタフェースを介してＭＳＣサーバ２０３へ接続され、及びＩＭＳ１０５へさらに接続される。上述されたように、ＭＳＣサーバ２０３は、ネットワーク交換サブシステムエレメントを制御する。ソース（ＵＴＲＡＮ／ＧＥＲＡＮ）ネットワーク１００ａは、Ｉｕ−ｐｓ／ＧＢインタフェースを介してサービング汎用パケット無線サービスサポートノード（ＳＧＳＮ：Serving  General  Packet  Radio  Services  Support  Node）２０５へ接続される。当該ＳＧＳＮ２０５は、その地理的なサービスエリア内でユーザ機器１０１からの及びユーザ機器１０１へのデータパケットの配信に関与するノードである。ＳＧＳＮ２０５は、Ｇｎ／Ｓ３インタフェースを介してＭＭＥ１０５に接続される。当該ＭＭＥ１０５は、通信ネットワーク１０００についての重要な制御ノードである。幾つかの実施形態において、ＳＧＳＮ２０５及びＭＭＥ１０５は、ＳＧＳＮ／ＭＭＥと呼ばれる１つのエンティティに共に配置され、参照番号２０５及び１０５の双方は、これらが同一の場所に配置される当該エンティティを指す場合に用いられ得るであろう。ＭＭＥ１０５は、Ｓ６ａインタフェースを介してホーム加入者サーバ（ＨＳＳ：Home  Subscriber  Server）２１０に接続される。ＨＳＳ２１０は、呼を実際に処理するＩＭＳネットワークエンティティをサポートするマスタユーザデータベースであり、加入関連の情報を含み、ユーザ機器１０１の認証及び承認を実行し、並びにユーザ機器１０１のロケーションに関する情報及びＩＰ情報を提供し得る。ターゲット（Ｅ−ＵＴＲＡＮ）ネットワーク１００ｂも、Ｓ１−ＭＭＥインタフェースを介してＭＭＥ１０５に接続される。ユーザ機器１０１とターゲット（Ｅ−ＵＴＲＡＮ）ネットワーク１００ｂとの間のインタフェースは、Ｅ−ＵＴＲＡＮ  Ｕｕインタフェースである。ターゲット（Ｅ−ＵＴＲＡＮ）ネットワーク１００ｂは、Ｓ１−Ｕインタフェースを介してサービングパケットデータネットワーク（ＰＤＮ）ゲートウェイ（ＧＷ）ＰＧＷ２０７に接続される。ＰＧＷ２０７は、Ｓ１１インタフェースを介してＭＭＥ１０５に接続される。ＰＧＷ２０７は、Ｓ７インタフェースを介してポリシー及び課金ルール機能（ＰＣＲＦ：Policy  and  Charging  Rules  Function）２１２にさらに接続される。ＰＣＲＦ２１２は、マルチメディアネットワークにおいてポリシールールを判定することに関与する。ＰＧＷ２０７は、ＳＧｉインタフェースを介してＩＭＳ１０５に接続される。図２における実線は、ソース（ＵＴＲＡＮ／ＧＥＲＡＮ）ネットワーク１００ａからターゲット（Ｅ−ＵＴＲＡＮ）ネットワーク１００ｂへのハンドオーバの前のベアラパスを例示する。破線は、ハンドオーバ後のベアラパスを例示し、点線は、ハンドオーバ前のセッション開始プロトコル（ＳＩＰ：Session  Initiation  Protocol）のシグナリングパスを例示する。ＳＩＰは、ＩＰ上の音声呼及びビデオ呼といったマルチメディア通信セッションを制御するために用いられるシグナリングプロトコルである。
【００４０】
ここで、幾つかの実施形態に係る、ターゲットネットワーク１００ｂにおいてベアラを割り当てるための方法は、図３におけるシグナリング及びフローチャートの複合図を参照しつつ説明されるであろう。ターゲットネットワーク１００ｂは、第１の数の既存ベアラを含む。上記方法は、以下のステップを含み、当該ステップは、以下に説明される順序とは別の適切な順序でも実行され得る。
【００４１】
ステップ３０１
ハンドオーバが為される前に、通信ネットワーク１００は、後述される幾つかの基準に基づいて、どのベアラリソースがターゲットネットワーク１００ｂにおいて必要とされるかを判定する。これは、ソースネットワーク１００ａ又はターゲットネットワーク１００ｂにおいて、例えば、ソースネットワークノード１０７ａ又はターゲットＭＭＥ１０５ｂにおいて為され得る。
【００４２】
幾つかの実施形態において、ターゲットＭＭＥ１０５は、ソースネットワークノード１０７ａからハンドオーバについての要求を受信した後に、上記判定を実行する。幾つかの実施形態において、ターゲットＭＭＥ１０５ｂは、所定の時間に上記判定を実行する。幾つかの実施形態において、ターゲットＭＭＥ１０５は、例えば、ユーザ機器からトリガを受信すると、上記判定を実行する。
【００４３】
ステップ３０２
ターゲットネットワーク１００ｂへハンドオーバされることとなる実際に利用可能なベアラリソースと必要ベアラリソースの量との間に相違がある場合、ターゲットネットワーク１００ｂは、当該ターゲットネットワーク１００ｂ内の追加ベアラリソースの事前割り当て又は予約をトリガし得る。これは、ターゲットネットワーク１００ｂへのシグナリング及び既存ベアラに加えて追加ベアラリソースの事前割り当ての要求によって為され得る。
【００４４】
既存ベアラと、必要ベアラと、追加ベアラとの間の関係は、以下の通りである：
必要ベアラ＝既存ベアラ＋追加ベアラ
【００４５】
ターゲットネットワーク１００ｂ内の利用可能なリソースの量を確認するために確認が為されるであろう。必要ベアラが利用可能である場合、手続きはステップ３０３へ進み得る。ターゲットネットワーク１００ｂ内に利用可能なリソースが存在しない場合、又はターゲットネットワーク１００ｂ内に利用可能なリソースが充分に存在しない場合、ソースネットワーク１００ａが選択され、又はハンドオーバ手続きが延期され、又は当該手続きが中断されるであろう。
【００４６】
ステップ３０３
ターゲット基地局１０３ｂが割り当て要求を受信する際、当該ターゲット基地局１０３は、第１の数の既存ベアラ及び第３の数の追加ベアラを割り当てる。第３の数の追加ベアラの割り当ては、事前割り当てであり得る。
【００４７】
ターゲット基地局１０３は、ユーザ機器固有のプール又はユーザ機器非固有のプールにおいて追加ベアラを事前割り当てし得る。なぜなら、ユーザ機器１０１への実際のベアラ割り当ては、後で為され得るためである。
【００４８】
ステップ３０４
第１の数の既存ベアラの割り当て及び第３の数の追加ベアラの割り当てが実行されると、ターゲット基地局１０３ｂは、当該割り当ての結果に関してターゲットＭＭＥ１０５ｂに通知する応答を、ターゲットＭＭＥ１０５ｂへ送信する。
【００４９】
ｒＳＲＶＣＣの例について、ソースネットワーク１００ａは、既存のＰＳベアラに加えて、ターゲットネットワーク１００ｂにおいて音声についての追加ベアラリソースが必要となるであろうことを知得している。例えば、ユーザ機器１０１は、２つのＰＳベアラと１つのＣＳベアラとをソースネットワーク１００ａにおいて有し得る。ターゲットネットワーク１００ｂ、例えば、ＬＴＥへのｒＳＲＶＣＣの後、ユーザ機器１０１は、少なくとも３つのＰＳベアラ、即ち、２つの元のベアラと、音声メディアが送信され得る２Ｇ  ＣＳベアラと置換されるもう１つのベアラと、を必要とするであろう。ネットワークは、ターゲットネットワーク１００ｂにおいて追加の音声ベアラの事前割り当てをトリガする。
【００５０】
ｒＳＲＶＣＣは一例として用いられたが、上記方法は、任意のタイプのベアラ及び無線アクセス技術間ハンドオーバ（ＩＲＡＴ  ＨＯ：Inter  Radio  Access  Technology  HandOver）、又はＰＳハンドオーバ、又はＳＲＳＮ（Same  Radio  Technologies,  Same  Network）リロケーションといった一般に全てのタイプのハンドオーバに適用され得る。コアネットワークにおいてある種のサービスの知識がなければならないという状況がある。この知識は、例えば、ユーザ機器１０１から由来し得る。１つのユースケースは、ユーザ機器１０１が例えば２Ｇといったソースネットワーク１００ａから例えばＬＴＥといったターゲットネットワーク１００ｂへのＩＲＡＴ  ＨＯを要求することであり得る。換言すれば、プリファレンス、若しくはサービス需要の変化に基づく、又はユーザ機器１０１がソースネットワーク１００ａ内でより多くのリソースを割り当てることを試行したが失敗した後の、代替的な／より良好な無線技術へのＩＲＡＴ  ＨＯである。ここで必要とされるのは、ハンドオーバが必要とされること及びターゲットネットワーク１００ｂ内でより多くのリソースが必要とされることを、ユーザ機器１０１がＢＳＣ／ＲＮＣにシグナリングすることである。
【００５１】
ここで、ｒＳＲＶＣＣ及びＩＲＡＴ  ＨＯについての例示的な実施形態が、より詳細に説明されるであろう。
【００５２】
ｒＳＲＶＣＣ
ここで、幾つかの実施形態に係る、ｒＳＲＶＣＣ手続きについての非ＤＴＭのケースについての通信サービスのハンドオーバを処理するための方法が、図４におけるシグナリング及びフローチャートの複合図を参照しつつ説明されるであろう。以下の説明は、ＩＭＳ音声呼を一例として用いる。ただし、例えばビデオ呼などの任意の他のタイプの通信サービス又はマルチメディアサービスにも適用可能である。上記方法は、以下のステップを含み、当該ステップは、以下に説明される順序とは別の適切な順序でも実行され得る。
【００５３】
ステップ４０１
ソースネットワーク１００ａは、ＬＴＥへのハンドオーバが必要とされることをトリガする。ＢＳＣ／ＲＮＣ４２０によって表されるソースネットワーク１００ａは、ハンドオーバ必須メッセージをＭＳＣサーバ２０３へ送信する。
【００５４】
ステップ４０２
このステップは、図３におけるステップ３０２に対応する。
【００５５】
ＭＳＣ２０３は、ＣＳからＰＳへのハンドオーバ要求をターゲットＭＭＥ２０１ｂへ送信し、及び、サービス、例えば、ユーザ機器１０１が音声呼又はビデオ呼を実行中かに関する情報を含める。
【００５６】
ステップ４０３
ターゲットＭＭＥ２０１ｂは、既存のＰＤＰコンテキスト、即ちベアラを要求する要求をＳＧＳＮ２０５ａに送信する。
【００５７】
ステップ４０４
ソースＳＧＳＮ２０５ａは、既存のＰＳベアラについてのコンテキスト応答をターゲットＭＭＥ２０１ｂへ送信する。ターゲットＭＭＥ２０１ｂは、ＭＳＣ２０３からの情報に基づいて、ｒＳＲＶＣＣハンドオーバ後に追加ベアラリソースが必要とされるかを判定する。これらの追加ベアラについてのＱｏＳ、即ちＱｏＳインジケータ（ＱＣＩ）、及びＧＢＲが判定される。
【００５８】
ステップ４０５
このステップは、図３におけるステップ３０２及び３０４に対応する。
【００５９】
ターゲットＭＭＥ２０１ｂは、既存ベアラ及び追加ベアラの事前割り当てを割り当てるための要求をターゲット基地局１０３ｂへ送信する。当該要求は、ＱｏＳ及びＧＢＲに関する情報を含む。
【００６０】
ターゲット基地局１０３ｂは、追加ベアラを事前割り当てし又は予約する。追加ベアラは、ターゲット基地局１０３ｂにおけるユーザ機器非固有のプール又はユーザ機器固有のプールにおいて事前割り当てされ、又はターゲット基地局１０３ｂは、利用可能なリソースが存在するかを確認する。
【００６１】
ターゲット基地局１０３ｂは、事前割り当ての結果をターゲットＭＭＥ１０５ｂへ送信する。ユーザ機器非固有のプール及びユーザ機器固有のプールは、ターゲット基地局１０３ｂ内のメモリユニットに記憶される情報である。
【００６２】
ステップ４０６
ターゲットＭＭＥ１０５ｂは、ベアラ割り当て及び事前割り当ての結果を含む、ＣＳからＰＳへの確認応答／応答を、ＭＳＣ２０３へ送信する。
【００６３】
ステップ４０７
ＭＳＣサーバ２０３は、ＣＳからＰＳへのハンドオーバコマンドを、ＢＳＣ／ＲＮＣ４２０を介してユーザ機器１０１へ送信する。
【００６４】
幾つかの実施形態において、ＭＳＣ２０３は、ターゲットＭＭＥ２０１ｂからの情報に基づいて、いつｒＳＲＶＣＣ手続きが続行されるべきかを判定する。このステップは、ターゲットＭＭＥ１０５ｂによって既に為されていてもよい。ＭＳＣ２０３は、ハンドオーバコマンドをソースネットワーク１００ａへ送信し、当該ソースネットワーク１００ａは、ユーザ機器１０１がターゲットネットワーク１００ｂ、例えば、ＬＴＥへ移ることをトリガする。
【００６５】
ステップ４０８
ＭＳＣサーバ２０３は、メディアパスを更新するためのｒｅ−ＩＮＶＩＴＥメッセージをアクセストランスファー制御機能（ＡＴＣＦ：access  transfer  control  function）５０１へ送信する。これは、ｒＳＲＶＣＣについてのＩＭＳシグナリングである。
【００６６】
ステップ４０９
ユーザ機器１０１は、ＣＳからＰＳへのハンドオーバ完了メッセージをＭＳＣサーバ２０３へ送信する。
【００６７】
ステップ４１０
ターゲット基地局１０３ｂは、ハンドオーバ通知メッセージをターゲットＭＭＥ１０５ｂへ送信する。
【００６８】
ステップ４１１
ターゲットＭＭＥ１０５ｂは、ベアラ修正要求をＳＧＷ／ＰＧＷ２０７へ送信する。
【００６９】
ステップ４１２
ＶｏＩＰ呼は、ユーザ機器１０１とＳＧＷ／ＰＧＷ２０７との間のデフォルトベアラユーザプレーン上で流れる。
【００７０】
ステップ４１３
ＳＧＷ／ＰＧＷ２０７は、ＲＡＴ変更更新をＰＣＲＦ２１２へ送信する。
【００７１】
ステップ４１４
専用ベアラがセットアップされる。
【００７２】
ステップ４１５
ＶｏＩＰ呼は、ユーザ機器１０１とＳＧＷ／ＰＧＷ２０７との間の専用ベアラユーザプレーン上で流れる。
【００７３】
ユーザ機器１０１は、ターゲットネットワーク１００ｂ、例えば、ＬＴＥ内に出現し、音声について用いられ得る新たなＧＢＲベアラ又は音声及びビデオの場合には複数のベアラが事前割り当てされたプールから割り当てられ、音声呼が継続する。
【００７４】
リソースは事前割り当てされるが、実際のリソース予約は利用されない場合、タイマが設定されて、ターゲットネットワーク１００ｂ内のリソースの割り当てを解除し得る。幾つかの実施形態において、事前割り当てされたリソースがユーザ機器１０１にリンクされる場合、即ち、ターゲットネットワーク１００ｂがユーザ機器固有の手法でリソースを予約した場合、当該事前割り当てされたリソースを解放することも可能であり得る。
【００７５】
ＩＲＡＴ  ＨＯ手続き
ユーザ機器１０１がＵＭＴＳサービスについてのカバレッジの端に到達すると、ユーザ機器１０１が複数のＲＡＴをサポートする場合、当該ユーザ機器１０１は、通信サービスをＧＳＭのような２Ｇサービスへハンドオーバし得る。ＩＲＡＴハンドオーバ手続きは、様々な手法で開始され得る。無線ネットワークサブシステム（ＲＮＳ：Radio  Network  Subsystem）は、ＵＴＲＡＮからのハンドオーバを実行するためのコマンドを送信し得る。このコマンドは、ユーザ機器１０１に異なるＲＡＴへ移るように明示的に指示し、又はユーザ機器１０１は、異なるＲＡＴに属するセルを選択し得る。別の可能性は、ネットワークがユーザ機器１０１にＵＴＲＡＮからのセル変更命令を実行するように求め得ることである。
【００７６】
ＵＴＲＡＮからのハンドオーバコマンドを用いるＩＲＡＴハードハンドオーバは、無線アクセスベアラ（ＲＡＢ：Radio  Access  Bearers）が存在しない場合又は少なくとも１つのＣＳドメインのＲＡＢが存在する場合、実行され得る。ユーザ機器１０１の状態は、ＣＥＬＬ＿ＤＣＨであり得る。
【００７７】
ＵＴＲＡＮからのセル変更命令を用いるＩＲＡＴハードハンドオーバは、ユーザ機器１０１がＣＥＬＬ＿ＤＣＨ又はＣＥＬＬ＿ＦＡＣＨの状態にある場合に実行され得る。唯一の要件は、少なくとも１つのＰＳシグナリング接続が存在すべきであって、ＣＳシグナリング接続は存在するべきではないことであり得る。
【００７８】
ここで、幾つかの実施形態に係る、ＩＲＡＴハンドオーバ手続きについての通信サービスのハンドオーバを処理するための方法が、図５に表されるシグナリング及びフローチャートの複合図を参照しつつ説明されるであろう。
【００７９】
ステップ５００
アップリンク及びダウンリンクユーザプレーンＰＤＵは、ＰＧＷ２０７と、ソースＳＧＳＮ２０５ａと、ソースＢＳＳ５２０ａと、ユーザ機器１０１との間で送信され及び受信される。
【００８０】
ステップ５０１
ユーザ機器１０１は、より良好な無線セルへのハンドオーバが望まれること及びより多くのリソースがターゲットネットワーク１００ｂにおいて必要とされることをソースＢＳＳ５２０ａへシグナリングすることによって、ハンドオーバを開始する。ステップ５０１の後、手続きは、図４を参照しつつ上述されたｒＳＲＶＣＣ手続きと同様に、事前割り当てに関して進む。
【００８１】
ステップ５０２
ソースＢＳＳ５２０ａは、ＰＳハンドオーバ必須メッセージをソースＳＧＳＮ２０５ａへ送信する。当該メッセージは、事前割り当てされたベアラ、即ち、ＱｏＳ及びＧＢＲを含む。
【００８２】
ステップ５０３
このステップは、図３におけるステップ３０１及び３０２、並びに図４におけるステップ４０２に対応する。
【００８３】
ソースＳＧＳＮ２０５ａは、リロケーション転送要求をターゲットＭＭＥ１０５ｂへ送信する。当該要求は、既存ベアラ及び事前割り当てされたベアラ、即ち、ＱｏＳ及びＧＢＲに関する情報を含む。
【００８４】
ステップ５０４
このステップは、図３におけるステップ３０４、図４におけるステップ４０５に対応する。ターゲットＭＭＥ１０５ｂは、セッション生成要求をターゲットＳＧＷ２０７ｂへ送信する。
【００８５】
ステップ５０４ａ
ターゲットＳＧＷ２０７ｂは、セッション生成応答をターゲットＭＭＥ１０５ｂへ送信する。
【００８６】
ステップ５０５
このステップは、図３におけるステップ３０２及び図４におけるステップ４０５に対応する。
【００８７】
ターゲットＭＭＥ１０５ｂは、ハンドオーバ要求をターゲット基地局１０３ｂへ送信する。当該ハンドオーバ要求は、既存ベアラ及び事前割り当てされたベアラ、即ち、ＱｏＳ及びＧＢＲに関する情報を含む。ターゲット基地局１０３ｂは、事前割り当てを実行する。
【００８８】
ステップ５０５ｂ
このステップは、図３におけるステップ３０４及び図４におけるステップ４０５に対応する。
【００８９】
ターゲット基地局１０３ｂは、事前割り当ての結果を含むハンドオーバ要求確認応答を送信する。
【００９０】
ステップ５０６
ターゲットＭＭＥ１０５ｂは、間接データ転送トンネル生成要求をターゲットＳＧＷ２０７ｂへ送信する。
【００９１】
ステップ５０６ａ
ターゲットＳＧＷ２０７ｂは、間接データ転送トンネル生成応答をターゲットＭＭＥ１０５ｂへ送信する。
【００９２】
ステップ５０７
このステップは、図４におけるステップ４０５に対応する。ターゲットＭＭＥ１０５ｂは、事前割り当ての結果を含むリロケーション転送応答をソースＳＧＳＮ２０５ａへ送信する。
【００９３】
ステップ５０８
ソースＳＧＳＮ２０５ａは、間接データ転送トンネル生成要求をソースＳＧＷ２０７ａへ送信する。
【００９４】
ステップ５０８ａ
ソースＳＧＷ２０７ａは、間接データ転送トンネル生成応答をソースＳＧＳＮ２０５ａへ送信する。
【００９５】
ここで、ターゲットＭＭＥ１０５ｂの観点から見た上記方法が説明されるであろう。図６は、ターゲットネットワーク１００ｂ内でベアラを割り当てるための、ターゲットＭＭＥ１０５ｂにおける本方法を説明するフローチャートである。ターゲットＭＭＥ１０５ｂは、ターゲットネットワーク１００ｂ内に含まれ、ターゲットネットワーク１００ｂは、第１の数の既存ベアラを含む。ソースネットワーク１００ａは、ＣＳネットワークであってよく、ターゲットネットワーク１００ｂは、ＰＳネットワークであってよい。又は、ソースネットワーク１００ａは、ＰＳネットワークであってよく、ターゲットネットワーク１００ｂは、ＣＳネットワークであってよい。幾つかの実施形態において、ソースネットワーク１００ａからターゲットネットワーク１００ｂへハンドオーバされるべき通信サービスは、音声サービス及びビデオサービスのうちの少なくとも１つを含む。ハンドオーバは、ＳＲＮＳリロケーション、又はｒＳＲＶＣＣハンドオーバ、又はＩＲＡＴ  ＨＯであり得る。ＳＲＮＳリロケーション手続きは、厳密に言えば、ハンドオーバ手続きではないかもしれないが、ハンドオーバ手続きと組み合わせて用いられ得る。通信ネットワーク１００の重要な特徴は、ユーザ機器１００が特定のネットワーク内へ及び特定のネットワーク外へ移ることを可能にする能力である。これは、既存のＳＲＮＳがターゲットＳＲＮＳによって置換される、ＳＲＮＳリロケーションとして知られるプロセスを必要とし得る。上記方法は、ターゲットＭＭＥ１０５ｂによって実行されるべき以下のステップを含み、当該ステップは、任意の適切な順序で実行され得る：
【００９６】
ステップ６０１
このステップは、図３におけるステップ３０２、図４におけるステップ４０２及び図５におけるステップ５０３に対応する。
【００９７】
幾つかの実施形態において、ターゲットＭＭＥ１０５ｂは、ハンドオーバ要求メッセージをソースネットワークノード１０７ａから受信する。ハンドオーバ要求メッセージは、ソースネットワーク１００ａからターゲットネットワーク１００ｂへのハンドオーバについての要求を含む。ソースネットワークノード１０７ａは、ＭＳＣ又はソースＳＧＳＮであってよい。ハンドオーバ要求メッセージは、ターゲットネットワーク１００ｂへハンドオーバされるべき通信サービスに関する情報をさらに含み得る。
【００９８】
ハンドオーバ要求メッセージは、例えば、ｒＳＲＶＣＣの場合のような新たな音声又はビデオベアラなどの、ターゲットネットワーク１００ｂにおいて必要とされ得る追加ベアラに関する情報を含み得る。ハンドオーバ要求メッセージは、既存ベアラについてのコンテキストに関する情報を含み得る。
【００９９】
ステップ６０２
このステップは、図３におけるステップ３０１に対応する。
【０１００】
これは、ステップ６０３の代わりに実行されるステップである。幾つかの実施形態において、ターゲットＭＭＥ１０５ｂは、ソースネットワーク１００ａからターゲットネットワーク１００ｂへのハンドオーバのためにターゲットネットワーク１００ｂ内で必要ベアラの第２の数を判定する。
【０１０１】
ステップ６０３
このステップは、図３におけるステップ３０１及び図５におけるステップ５０３に対応する。これは、ステップ６０２の代わりに実行されるステップである。
【０１０２】
幾つかの実施形態において、ターゲットＭＭＥ１０５ｂは、ソースネットワーク１００ａからターゲットネットワーク１００ｂへのハンドオーバのためにターゲットネットワーク１００ｂ内で必要ベアラの第２の数を、ソースネットワークノード１０７ａから受信する。
【０１０３】
ステップ６０４
幾つかの実施形態において、ターゲットＭＭＥ１０５ｂは、必要ベアラの第２の数を既存ベアラの第１の数と比較する。
【０１０４】
ステップ６０５
これは、図３におけるステップ３０２、図４におけるステップ４０５及び図５におけるステップ５０５に対応する。
【０１０５】
ターゲットネットワーク１００ｂ内で必要ベアラの第２の数が既存ベアラの第１の数よりも大きい場合、ターゲットＭＭＥ１０５ｂは、割り当て要求メッセージをターゲット基地局１０３ｂへ送信する。割り当て要求メッセージは、ターゲットネットワーク１００ｂにおける、第１の数の既存ベアラの割り当てについての要求及び第３の数の追加ベアラの割り当てについての要求を含む。
【０１０６】
幾つかの実施形態において、ターゲットネットワーク１００ｂ内で必要ベアラの第２の数が既存ベアラの第１の数よりも大きい場合、及び必要ベアラの第２の数が利用可能なベアラの第４の数よりも小さい場合、割り当て要求メッセージは、ターゲット基地局１０３ｂへ送信される。
【０１０７】
ターゲットネットワーク１００ｂにおける第３の数の追加ベアラの割り当てについての要求は、ターゲットネットワーク１００ｂにおける第３の数の追加ベアラの事前割り当てについての要求であり得る。
【０１０８】
ステップ６０６
このステップは、図３におけるステップ３０４、図４におけるステップ４０５及び図５におけるステップ５０５ｂに対応する。
【０１０９】
幾つかの実施形態において、ターゲットＭＭＥ１０５ｂは、ターゲット基地局１０３ｂからの割り当て応答メッセージを受信する。割り当て応答メッセージは、第１の数の既存ベアラの割り当てと第３の数の追加ベアラの割り当てに関する情報を含む。
【０１１０】
ステップ６０７
このステップは、図４におけるステップ４０５及び図５におけるステップ５０７に対応する。幾つかの実施形態において、ターゲットＭＭＥ１０５ｂは、ハンドオーバ応答メッセージをソースネットワークノード１０７ａへ送信する。ハンドオーバ応答メッセージは、第１の数の既存ベアラ及び第３の数の追加ベアラの割り当てに関する情報を含む。
【０１１１】
ステップ６０８
幾つかの実施形態において、ターゲットネットワーク１００ｂ内で必要ベアラの第２の数が利用可能なベアラの第４の数よりも大きい場合、ターゲットＭＭＥ１０５ｂは、ソースネットワーク１００ａからターゲットネットワーク１００ｂへのハンドオーバを中断し又は停止する。
【０１１２】
ステップ６０９
幾つかの実施形態において、ターゲットＭＭＥ１０５ｂは、ソースネットワークノード１０７ａへのハンドオーバの中断又は停止に関する情報を送信する。
【０１１３】
ターゲットネットワーク１００ｂにおいてベアラを割り当てるための、図６に示される方法ステップを実行するために、ターゲットＭＭＥ１０５ｂは、図７に示されるような構成を備える。ターゲットＭＭＥ１０５ｂは、ターゲットネットワーク１００ｂ内に含まれ、ターゲットネットワーク１００ｂは、第１の数の既存ベアラを含む。ソースネットワーク１００ａは、ＣＳネットワークであってよく、ターゲットネットワーク１００ｂは、ＰＳネットワークであってよい。又は、ソースネットワーク１００ａは、ＰＳネットワークであってよく、ターゲットネットワーク１００ｂは、ＣＳネットワークであってよい。ソースネットワークノード１０７ａは、ＭＳＣ又はＳＧＳＮであってよい。ハンドオーバは、ＳＲＮＳリロケーション、又はｒＳＲＶＣＣハンドオーバ、又はＩＲＡＴ  ＨＯであり得る。幾つかの実施形態において、ソースネットワーク１００ａからターゲットネットワーク１００ｂへハンドオーバされるべき通信サービスは、音声サービス及びビデオサービスのうちの少なくとも１つを含む。
【０１１４】
ターゲットＭＭＥ１０５ｂは、ターゲットネットワーク１００ｂ内で必要ベアラの第２の数が既存ベアラの第１の数よりも大きい場合、割り当て要求メッセージをターゲット基地局１０３ｂへ送信するように構成される送信器７０１を備える。割り当て要求メッセージは、ターゲットネットワーク１００ｂにおける、第１の数の既存ベアラの割り当てについての要求及び第３の数の追加ベアラの割り当てについての要求を含む。幾つかの実施形態において、送信器７０１は、ハンドオーバ応答メッセージをソースネットワークノード１０７ａへ送信するようにさらに構成される。ハンドオーバ応答メッセージは、第１の数の既存ベアラ及び第３の数の追加ベアラの割り当てに関する情報を含む。幾つかの実施形態において、ターゲットネットワーク１００ｂ内で必要ベアラの第２の数が既存ベアラの第１の数よりも大きい場合、及びターゲットネットワーク１００ｂ内で必要ベアラの第２の数が利用可能なベアラの第４の数よりも小さい場合、割り当て要求メッセージは、ターゲット基地局１０３ｂへ送信される。幾つかの実施形態において、送信器７０１は、ソースネットワークノード１０７ａへのハンドオーバの中断に関する情報を送信するようにさらに構成される。ターゲットネットワーク１００ｂにおける第３の数の追加ベアラの割り当てについての要求は、ターゲットネットワーク１００ｂにおける第３の数の追加ベアラの事前割り当てについての要求であり得る。
【０１１５】
幾つかの実施形態において、ターゲットＭＭＥ１０５ｂは、ソースネットワーク１００ａからターゲットネットワーク１００ｂへのハンドオーバについての、ターゲットネットワーク１００ｂにおける必要ベアラの第２の数を判定するように構成されるプロセッサ７０３をさらに備える。幾つかの実施形態において、プロセッサ７０３は、必要ベアラの第２の数を既存ベアラの第１の数と比較するようにさらに構成される。幾つかの実施形態において、プロセッサ７０３は、ターゲットネットワーク１００ｂ内で必要ベアラの第２の数が利用可能なベアラの第４の数よりも大きい場合、ソースネットワーク１００ａからターゲットネットワーク１００ｂへのハンドオーバを中断するようにさらに構成される。
【０１１６】
幾つかの実施形態において、ターゲットＭＭＥ１０５ｂは、ソースネットワーク１００ａからターゲットネットワーク１００ｂへのハンドオーバについての、ターゲットネットワーク１００ｂ内での必要ベアラの第２の数を、ソースネットワークノード１０７ａから受信するように構成される受信器７０５をさらに備える。幾つかの実施形態において、受信器７０５は、ソースネットワークノード１０７ａからハンドオーバ要求メッセージを受信するようにさらに構成され得る。当該ハンドオーバ要求メッセージは、ソースネットワーク１００ａからターゲットネットワーク１００ｂへのハンドオーバについての要求を含む。幾つかの実施形態において、受信器７０５は、ターゲット基地局１０３ｂから割り当て応答メッセージを受信するようにさらに構成される。当該割り当て応答メッセージは、第１の数の既存ベアラの割り当て及び第３の数の追加ベアラの割り当てに関する情報を含む。
【０１１７】
ターゲットＭＭＥ１０５ｂは、１つ以上のメモリユニットを含むメモリ７０８をさらに備え得る。メモリ７０８は、データ、受信データストリーム、電力レベル測定値、閾値、ベアラの数、要求メッセージ、応答メッセージ、ハンドオーバ情報、通信サービスに関する情報、期間、構成、スケジューリング、及びターゲットＭＭＥ１０５ｂにおいて実行される場合に本明細書における方法を実行するためのアプリケーションを記憶するために用いられるように構成される。
【０１１８】
上記の送信器７０１及び受信器７０５が、アナログ回路とデジタル回路との組み合わせ、並びに／又は、例えばメモリに記憶されるソフトウェア及び／若しくはファームウェアにより構成される１つ以上のプロセッサであって、プロセッサ７０３などの当該１つ以上のプロセッサによって実行される場合に上述したように動作するプロセッサを指し得ることも、当業者は認識するであろう。これらのプロセッサのうちの１つ以上及びその他のデジタルハードウェアは、単一の特定用途向け集積回路（ＡＳＩＣ：application-specific  integrated  circuit）に含まれてもよく、又は、幾つかのプロセッサ及び種々のデジタルハードウェアは、個別にパッケージングされていようとシステムオンチップ（ＳｏＣ）に組立てられていようと、幾つかの別個のコンポーネント間に分散されてもよい。
【０１１９】
ここで、ターゲットＭＭＥ１０５ｂの観点から見た上記方法が説明されるであろう。図８は、ターゲットネットワーク１００ｂ内でベアラを割り当てるための、ターゲット基地局１０３ｂにおける本方法を説明するフローチャートである。ターゲット基地局１０３ｂは、ターゲットネットワーク１００ｂ内に含まれ、当該ターゲットネットワーク１００ｂは、第１の数の既存ベアラを含む。ソースネットワーク１００ａは、ＣＳネットワークであってよく、ターゲットネットワーク１００ｂは、ＰＳネットワークであってよい。又は、ソースネットワーク１００ａは、ＰＳネットワークであってよく、ターゲットネットワーク１００ｂは、ＣＳネットワークであってよい。ハンドオーバは、ＳＲＮＳリロケーション、又はｒＳＲＶＣＣハンドオーバ、又はＩＲＡＴ  ＨＯであり得る。幾つかの実施形態において、ソースネットワーク１００ａからターゲットネットワーク１００ｂへハンドオーバされるべき通信サービスは、音声サービス及びビデオサービスのうちの少なくとも１つを含む。上記方法は、ターゲット基地局１０３ｂによって実行されるべき以下のステップを含み、当該ステップは、任意の適切な順序で実行され得る：
【０１２０】
ステップ８０１
このステップは、図３におけるステップ３０２、図４におけるステップ４０５及び図５におけるステップ５０５に対応する。ターゲットネットワーク１００ｂ内で必要ベアラの第２の数が既存ベアラの第１の数よりも大きい場合、ターゲット基地局１０３ｂは、ターゲットＭＭＥ１０５ｂから割り当て要求メッセージを受信する。当該割り当て要求メッセージは、ターゲットネットワーク１００ｂ内における、第１の数の既存ベアラの割り当てについての要求及び第３の数の追加ベアラの割り当てについての要求を含む。
【０１２１】
ステップ８０２
このステップは、図３におけるステップ３０３に対応する。
【０１２２】
ターゲット基地局１０３ｂは、第１の数の既存ベアラを割り当てる。
【０１２３】
ステップ８０３
このステップは、図３におけるステップ３０３に対応する。
【０１２４】
ターゲット基地局１０３ｂは、第３の数の追加ベアラを割り当てる。
【０１２５】
第３の数の追加ベアラの割り当ては、ターゲットネットワーク１００ｂ内の第３の数の追加ベアラの事前割り当てであり得る。
【０１２６】
ステップ８０３ａ
これは、ステップ８０３のサブステップである。幾つかの実施形態において、ターゲット基地局１０３ｂは、ユーザ機器非固有のプール又はユーザ機器固有のプールにおいて第３の数の追加ベアラを割り当てる。
【０１２７】
ステップ８０４
このステップは、図３におけるステップ３０４、図４におけるステップ４０５及び図５におけるステップ５０５に対応する。幾つかの実施形態において、ターゲット基地局１０３ｂは、割り当て応答メッセージをターゲットＭＭＥ１０５ｂへ送信する。割り当て応答メッセージは、第１の数の既存ベアラ及び第３の数の追加ベアラの割り当てに関する情報を含む。
【０１２８】
ターゲットネットワーク１００ｂ内でベアラを割り当てるための、図８に示される上記方法ステップを実行するために、ターゲット基地局１０３ｂは、図９に示されるような構成を備える。ターゲット基地局１０３ｂは、ターゲットネットワーク１００ｂ内に含まれ、当該ターゲットネットワーク１００ｂは、第１の数の既存ベアラを含む。ソースネットワーク１００ａは、ＣＳネットワークであってよく、ターゲットネットワーク１００ｂは、ＰＳネットワークであってよい。又は、ソースネットワーク１００ａは、ＰＳネットワークであってよく、ターゲットネットワーク１００ｂは、ＣＳネットワークであってよい。ハンドオーバは、ＳＲＮＳリロケーション、又はｒＳＲＶＣＣハンドオーバ、又はＩＲＡＴ  ＨＯであり得る。幾つかの実施形態において、ソースネットワーク１００ａからターゲットネットワーク１００ｂへハンドオーバされるべき通信サービスは、音声サービス及びビデオサービスのうちの少なくとも１つを含む。
【０１２９】
ターゲット基地局１０３ｂは、ターゲットネットワーク１００ｂ内で必要ベアラの第２の数が既存ベアラの第１の数よりも大きい場合、割り当て要求メッセージをターゲットＭＭＥ１０５ｂから受信するように構成される受信器９０１を備える。当該割り当て要求メッセージは、ターゲットネットワーク１００ｂ内における、第１の数の既存ベアラの割り当てについての要求及び第３の数の追加ベアラの割り当てについての要求を含む。
【０１３０】
ターゲット基地局１０３ｂは、第１の数の既存ベアラを割り当て、及び第３の数の追加ベアラを割り当てるように構成されるプロセッサ９０３を備える。幾つかの実施形態において、プロセッサ８０３は、ユーザ機器非固有のプール又はユーザ機器固有のプールにおいて第３の数の追加ベアラを割り当てるようにさらに構成される。幾つかの実施形態において、第３の数の追加ベアラの割り当ては、ターゲットネットワーク１００ｂ内の第３の数の追加ベアラの事前割り当てである。
【０１３１】
ターゲット基地局１０３ｂは、割り当て応答メッセージをターゲットＭＭＥ１０５ｂへ送信するように構成される送信器９０５をさらに備え得る。当該割り当て応答メッセージは、第１の数の既存ベアラ及び第３の数の追加ベアラの割り当てに関する情報を含む。
【０１３２】
ターゲット基地局１０３ｂは、１つ以上のメモリユニットを含むメモリ９０８をさらに備え得る。メモリ９０８は、データ、受信データストリーム、電力レベル測定値、閾値、ベアラの数、要求メッセージ、応答メッセージ、ハンドオーバ情報、通信サービスに関する情報、期間、構成、スケジューリング、及びターゲット基地局１０３ｂにおいて実行される場合に本明細書における方法を実行するためのアプリケーションを記憶するために用いられるように構成される。
【０１３３】
上記の送信器９０５及び受信器９０１が、アナログ回路とデジタル回路との組み合わせ、並びに／又は、例えばメモリに記憶されるソフトウェア及び／若しくはファームウェアにより構成される１つ以上のプロセッサであって、プロセッサ９０３などの当該１つ以上のプロセッサによって実行される場合に上述したように動作するプロセッサを指し得ることも、当業者は認識するであろう。これらのプロセッサのうちの１つ以上及びその他のデジタルハードウェアは、単一の特定用途向け集積回路（ＡＳＩＣ）に含まれてもよく、又は、幾つかのプロセッサ及び種々のデジタルハードウェアは、個別にパッケージングされていようとシステムオンチップ（ＳｏＣ）に組立てられていようと、幾つかの別個のコンポーネント間に分散されてもよい。
【０１３４】
ここで、ソースネットワークノード１０７ａの観点から見た上記方法が説明されるであろう。図１０は、ターゲットネットワーク１００ｂ内でベアラを割り当てるための、ソースネットワークノード１０７ａにおける本方法を説明するフローチャートである。ターゲット基地局１０３ｂは、ターゲットネットワーク１００ｂ内に含まれ、当該ターゲットネットワーク１００ｂは、第１の数の既存ベアラを含む。ソースネットワーク１００ａは、ＣＳネットワークであってよく、ターゲットネットワーク１００ｂは、ＰＳネットワークであってよい。又は、ソースネットワーク１００ａは、ＰＳネットワークであってよく、ターゲットネットワーク１００ｂは、ＣＳネットワークであってよい。ハンドオーバは、ＳＲＮＳリロケーション、又はｒＳＲＶＣＣハンドオーバ、又はＩＲＡＴ  ＨＯであり得る。幾つかの実施形態において、ソースネットワーク１００ａからターゲットネットワーク１００ｂへハンドオーバされるべき通信サービスは、音声サービス及びビデオサービスのうちの少なくとも１つを含む。ソースネットワークノード１０７ａは、ＭＳＣ又はＳＧＳＮであってよい。上記方法は、ソースネットワークノード１０７ａによって実行されるべき以下のステップを含み、当該ステップは、任意の適切な順序で実行され得る。
【０１３５】
ステップ１００１
このステップは、図３におけるステップ３０１に対応する。
【０１３６】
ソースネットワークノード１０７ａは、ソースネットワーク１００ａからターゲットネットワーク１００ｂへのハンドオーバについての、ターゲットネットワーク１００ｂ内の必要ベアラの第２の数を判定する。
【０１３７】
ステップ１００２
このステップは、図３におけるステップ３０１及び図４におけるステップ４０２に対応する。
【０１３８】
幾つかの実施形態において、ソースネットワークノード１０７ａは、ハンドオーバ要求メッセージをターゲットＭＭＥ１０５ｂへ送信する。当該ハンドオーバ要求メッセージは、ソースネットワーク１００ａからターゲットネットワーク１００ｂへのハンドオーバについての要求を含む。当該ハンドオーバ要求メッセージは、必要ベアラの判定された第２の数を含み得る。
【０１３９】
ステップ１００３
このステップは、図４におけるステップ４０６及び図５におけるステップ５０７に対応する。
【０１４０】
幾つかの実施形態において、ソースネットワークノード１０７ａは、ハンドオーバ応答メッセージをターゲットＭＭＥ１０５ｂから受信する。当該ハンドオーバ要求応答メッセージは、第１の数の既存ベアラ及び第３の数の追加ベアラの割り当てに関する情報を含む。第３の数の追加ベアラの割り当ては、ターゲットネットワーク１００ｂ内の第３の数の追加ベアラの事前割り当てであり得る。
【０１４１】
ターゲットネットワーク１００ｂ内でベアラを割り当てるための、図１０に示される上記方法ステップを実行するために、ソースネットワークノード１０７ａは、図１１に示されるような構成を備える。ソースネットワークノード１０７ａは、ソースネットワーク１００ａ内に含まれ、ターゲットネットワーク１００ｂは、第１の数の既存ベアラを含む。ソースネットワーク１００ａは、ＣＳネットワークであってよく、ターゲットネットワーク１００ｂは、ＰＳネットワークであってよい。又は、ソースネットワーク１００ａは、ＰＳネットワークであってよく、ターゲットネットワーク１００ｂは、ＣＳネットワークであってよい。ソースネットワークノード１０７ａは、ＭＳＣ又はＳＧＳＮであってよい。
【０１４２】
ソースネットワークノード１０７ａは、ソースネットワーク１００ａからターゲットネットワーク１００ｂへのハンドオーバについての、ターゲットネットワーク１００ｂ内の必要ベアラの第２の数を判定するように構成されるプロセッサ１１０１を備える。ハンドオーバは、ＳＲＮＳリロケーション、又はｒＳＲＶＣＣハンドオーバ、又はＩＲＡＴ  ＨＯであり得る。幾つかの実施形態において、ソースネットワーク１００ａからターゲットネットワーク１００ｂへハンドオーバされるべき通信サービスは、音声サービス及びビデオサービスのうちの少なくとも１つを含む。
【０１４３】
ソースネットワークノード１０７ａは、ハンドオーバ要求メッセージをターゲットＭＭＥ１０５ｂへ送信するように構成される送信器１１０３を備え得る。当該ハンドオーバ要求メッセージは、ソースネットワーク１００ａからターゲットネットワーク１００ｂへのハンドオーバについての要求を含む。
【０１４４】
幾つかの実施形態において、ソースネットワークノード１０７ａは、ハンドオーバ応答メッセージをターゲットＭＭＥ１０５ｂから受信するように構成される受信器１１０５をさらに備える。当該ハンドオーバ要求応答メッセージは、第１の数の既存ベアラ及び第３の数の追加ベアラの割り当てに関する情報を含む。第３の数の追加ベアラの割り当ては、ターゲットネットワーク１００ｂ内の第３の数の追加ベアラの事前割り当てであり得る。
【０１４５】
ソースネットワークノード１０７ａは、１つ以上のメモリユニットを含むメモリ１１０７をさらに備え得る。メモリ１１０７は、データ、受信データストリーム、電力レベル測定値、閾値、ベアラの数、要求メッセージ、応答メッセージ、ハンドオーバ情報、通信サービスに関する情報、期間、構成、スケジューリング、及びソースネットワークノード１０７ａにおいて実行される場合に本明細書における方法を実行するためのアプリケーションを記憶するために用いられるように構成される。
【０１４６】
上記の送信器１１０３及び受信器１１０５が、アナログ回路とデジタル回路との組み合わせ、並びに／又は、例えばメモリに記憶されるソフトウェア及び／若しくはファームウェアにより構成される１つ以上のプロセッサであって、プロセッサ１１０１などの当該１つ以上のプロセッサによって実行される場合に上述したように動作するプロセッサを指し得ることも、当業者は認識するであろう。これらのプロセッサのうちの１つ以上及びその他のデジタルハードウェアは、単一の特定用途向け集積回路（ＡＳＩＣ）に含まれてもよく、又は、幾つかのプロセッサ及び種々のデジタルハードウェアは、個別にパッケージングされていようとシステムオンチップ（ＳｏＣ）に組立てられていようと、幾つかの別個のコンポーネント間に分散されてもよい。
【０１４７】
ターゲットネットワーク１００ｂ内でベアラを割り当てることを可能にするための本メカニズムは、本明細書における実施形態の機能を実行するためのコンピュータプログラムコードと共に、図７に表されるターゲットＭＭＥ１０５ｂのプロセッサ７０３、図９に表されるターゲット基地局１０３ｂのプロセッサ９０３、及び図１１に表されるソースネットワークノード１０７ａのプロセッサ１１０１といった１つ以上のプロセッサを通じて、実装され得る。プロセッサは、例えば、デジタル信号プロセッサ（ＤＳＰ）、特定用途向け集積回路（ＡＳＩＣ）プロセッサ、フィールドプログラマブルゲートアレイ（ＦＰＧＡ）プロセッサ又はマイクロプロセッサであってよい。上記プログラムコードは、例えば、ターゲットＭＭＥ１０５ｂ及び／又はターゲット基地局１０３ｂ及び／又はソースネットワークノード１０７ａにロードされる場合に本明細書における実施形態を実行するためのコンピュータプログラムコードを搬送するデータキャリアの形式において、コンピュータプログラムプロダクトとしても提供され得る。１つのそのようなキャリアは、ＣＤ  ＲＯＭディスクの形式であってもよい。ただし、当該キャリアは、メモリスティックなどの他のデータキャリアによっても実現可能である。上記コンピュータプログラムコードは、サーバ上の純粋なプログラムコードとしてさらに提供され、及びターゲットＭＭＥ１０５ｂ及び／又はターゲット基地局１０３ｂ及び／又はソースネットワークノード１０７ａにダウンロードされ得る。
【０１４８】
本明細書における実施形態は、上述された好適な実施形態に限定されない。種々の代替案、変更例及び均等物が用いられ得る。それ故に、上記実施形態は、当該実施形態の範囲を限定するものとして見なされるべきではなく、当該範囲は、添付の特許請求の範囲によって定義される。
【０１４９】
「備える（comprises/comprising）」という用語は、本明細書において使用される場合、記載される特徴、整数、ステップ又はコンポーネントの存在を特定するために用いられるが、１つ以上の他の特徴、整数、ステップ、コンポーネント又はこれらのグループの存在又は追加を除外しないことが強調されるべきである。ある要素に先行する「１つの（“ａ”又は“ａｎ”）」という単語は複数の当該要素の存在を排除しないことも留意されるべきである。
【０１５０】
添付の特許請求の範囲において定義される方法のステップは、本明細書における実施形態から逸脱することなく、当該特許請求の範囲において出現する順序とは別の順序で実行され得ることも強調されるべきである。
【図１】
0006053774.tif 000002
【図２】
0006053774.tif 000003
【図３】
0006053774.tif 000004
【図４】
0006053774.tif 000005
【図５】
0006053774.tif 000006
【図６】
0006053774.tif 000007
【図７】
0006053774.tif 000008
【図８】
0006053774.tif 000009
【図９】
0006053774.tif 000010
【図１０】
0006053774.tif 000011
【図１１】
0006053774.tif 000012